(57)【要約】【課題】  施工性の良さを追求するとともに、従来品と同じ安定性・安全性を兼ね備えた谷用雪止金具を提供することにある。【解決手段】  谷用雪止金具１０は、雪止金具本体１１と取付具１５を備えてＬ字アングル８０を挟み、これらをボルト８５及びナット８６で緊締する。そして、雪止金具本体１１及び取付具１５は、ボルト８５を通すためのボルト孔１２，ボルト孔１６をＬ字アングル８０と水平方向に平行且つＬ字アングル８０の上端側に形成している。また、雪止金具本体１１は、Ｌ字アングル８０の一方の端部８１を支持する支持部１３を備え、取付具１５は、Ｌ字アングル８０の他方の端部８２を支持する支持部１７を備えることで、谷用雪止金具１０はＬ字アングル８０を２点で支持している。【選択図】  図１
2017198046.tif 000002
【特許請求の範囲】
【請求項１】
折板屋根に積もった雪を地上に落下させないために屋根に横架して設けられるＬ字アングルに取り付けられて、Ｌ字アングル設置高さ以下の折板屋根の谷部における積雪の落下を防止する谷用雪止金具であって、
折板屋根の谷部に位置し、積雪の落下を食い止める雪止金具本体と、
雪止金具本体とＬ字アングルを挟み、雪止金具本体をＬ字アングルに取り付ける取付具と、
Ｌ字アングルを挟んだ雪止金具本体及び取付具を緊締するためのボルト・ナットと、を備え、
雪止金具本体及び取付具はボルトを通すボルト孔をＬ字アングルと水平方向に平行且つＬ字アングルの上端側に形成したことを特徴とする谷用雪止金具。
【請求項２】
雪止金具本体と取付具とがそれぞれＬ字アングルの両端を支持しながらＬ字アングルを挟むことを特徴とする請求項１記載の谷用雪止金具。
【請求項３】
雪止金具本体と取付具とがＬ字アングルの一部分を挟むことを特徴とする請求項１記載の谷用雪止金具。
【請求項４】
ボルト・ナットの締結による取付具の共回りを防止するために、雪止金具本体又は取付具に共回り防止手段を備えたことを特徴とする請求項１から３のいずれかに記載の谷用雪止金具。
【請求項５】
雪止金具本体の下部は、強度向上のための両端部の縁折りをしていないことを特徴とする請求項１から４のいずれかに記載の谷用雪止金具。
【請求項６】
雪止金具本体は、雪と当接する面に穿孔を備えたことを特徴とする請求項１から５のいずれかに記載の谷用雪止金具。
【請求項７】
請求項１から６のいずれかに記載の谷用雪止金具を取り付けたＬ字アングル設置の折板屋根構造。
【発明の詳細な説明】
【技術分野】
【０００１】
本願発明は、折板屋根に積もった雪を地上に落下させないために屋根に横架して設けられるＬ字アングルに取り付けられて、Ｌ字アングル設置高さ以下の折板屋根の谷部における積雪の落下を防止する谷用雪止金具に関するものである。
【背景技術】
【０００２】
折板屋根に積もった雪を地上に落下させないために、屋根に横架して設けられるＬ字アングルがある。しかし、このＬ字アングルのみでは、Ｌ字アングルの設置高さまで積雪されないと雪止め効果は無く、折板屋根の谷部の雪が屋根から落下する危険があった。
【０００３】
このため、図１６に図示するように、Ｌ字アングル８０に取り付けて、Ｌ字アングル８０の設置高さ以下の折板屋根９０の谷部９１における積雪９５の落下を防止する谷用雪止金具１が存在する。
この谷用雪止金具に関しては、下記の特許文献１〜特許文献４に示すものなどが挙げられる。
【０００４】
このうち、特許文献１〜特許文献３は、バネ部材の保持力で谷用雪止金具をＬ字アングルに取り付けるものであり、特許文献４は、固定部材を差し込んで谷用雪止金具をＬ字アングルに取り付けるものである。この他にも、谷用雪止金具をＬ字アングルにボルト止めするものが市販されている。
【先行技術文献】
【特許文献】
【０００５】
【特許文献１】特開２００８−２３１８２８号公報
【特許文献２】特開２０１０−１４４３８２号公報
【特許文献３】特開２０１２−１６２９６２号公報
【特許文献４】特開２００６−２９１４８１号公報
【発明の概要】
【発明が解決しようとする課題】
【０００６】
現在市場で広く普及しているのは、特許文献１に開示された谷用雪止金具である。当該発明品のワンタッチでＬ字アングルに取り付けられる施工性の良さが、その理由であると思われる。
【０００７】
これに対して、本願発明者は、さらに施工性の良さを追求するとともに、従来品と同じ安定性・安全性を兼ね備えた谷用雪止金具を提供すべく鋭意試験・研究を行い、本願発明を完成するに至った。
【課題を解決するための手段】
【０００８】
上記目的を達成するために、本願発明の第１の発明は、折板屋根に積もった雪を地上に落下させないために屋根に横架して設けられるＬ字アングルに取り付けられて、Ｌ字アングル設置高さ以下の折板屋根の谷部における積雪の落下を防止する谷用雪止金具であって、折板屋根の谷部に位置し、積雪の落下を食い止める雪止金具本体と、雪止金具本体とＬ字アングルを挟み、雪止金具本体をＬ字アングルに取り付ける取付具と、Ｌ字アングルを挟んだ雪止金具本体及び取付具を緊締するためのボルト・ナットと、を備え、雪止金具本体及び取付具はボルトを通すボルト孔をＬ字アングルと水平方向に平行且つＬ字アングルの上端側に形成したことを特徴とするものである。
第２の発明は、雪止金具本体と取付具とがそれぞれＬ字アングルの両端を支持しながらＬ字アングルを挟むことを特徴とする同谷用雪止金具である。
第３の発明は、雪止金具本体と取付具とがＬ字アングルの一部分を挟むことを特徴とする同谷用雪止金具である。
第４の発明は、ボルト・ナットの締結による取付具の共回りを防止するために、雪止金具本体又は取付具に共回り防止手段を備えたことを特徴とする同谷用雪止金具である。
第５の発明は、雪止金具本体の下部が、強度向上のための両端部の縁折りをしていないことを特徴とする同谷用雪止金具である。
第６の発明は、雪止金具本体が、雪と当接する面に穿孔を備えたことを特徴とする同谷用雪止金具である。
第７の発明は、上記した第１の発明乃至第６の発明である谷用雪止金具を取り付けたＬ字アングル設置の折板屋根構造である。
【発明の効果】
【０００９】
上記した本願発明によれば、以下のような効果を有する。
（１）本願発明は、雪止金具本体及び取付具はボルトを通すボルト孔をＬ字アングルと水平方向に平行且つＬ字アングルの上端側に形成したことで、上方からのボルト１本留めのため、簡単に施工（Ｌ字アングルへの取り付けが）できる。
（２）詳しくは、特許文献１に開示された谷用雪止金具よりも腰をかがまずに施工できるので、作業負担が極めて小さい。
（３）また、本願発明は、電動工具（インパクトレンチ）でボルト・ナット締めができるので、Ｌ字アングルに手で押し付けて取り付けをする前記谷用雪止金具よりも力が要らず、作業負担が小さい。
（４）さらに、Ｌ字アングルへの取付構造（固定構造）が前記谷用雪止金具のようなバネ状ではないので、突風による逆荷重に対して耐性が高い（脱落等の危険性が低い）。
（５）本願発明は、ボルト・ナットの締結による取付具の共回りを防止するために、雪止金具本体又は取付具に共回り防止手段を備えたことで、電動工具（インパクトレンチ）を使用して安全・安心にボルト・ナット締め（締結）できる。
（６）本願発明は、雪止金具本体の下部が強度向上のための両端部の縁折りをしていないことで、強度を確保したまま、雪止めの幅が広くなり、雪止めの効率を向上させることができる。
（７）本願発明は、雪止金具本体が雪と当接する面に穿孔を備えたことで、積雪時にこの穿孔から日光や風を雪に当てるようにし、雪解けを促進させることができる。
【図面の簡単な説明】
【００１０】
【図１】谷用雪止金具の第１実施形態を示す説明図（１）。
【図２】谷用雪止金具の第１実施形態を示す説明図（２）。
【図３】谷用雪止金具の第１実施形態を示す説明図（３）。
【図４】谷用雪止金具の第１実施形態を示す説明図（４）。
【図５】谷用雪止金具の第２実施形態を示す説明図（１）。
【図６】谷用雪止金具の第２実施形態を示す説明図（２）。
【図７】谷用雪止金具の第３実施形態を示す説明図（１）。
【図８】谷用雪止金具の第３実施形態を示す説明図（２）。
【図９】谷用雪止金具の第４実施形態を示す説明図（１）。
【図１０】谷用雪止金具の第４実施形態を示す説明図（２）。
【図１１】谷用雪止金具の第５実施形態を示す説明図（１）。
【図１２】谷用雪止金具の第５実施形態を示す説明図（２）。
【図１３】谷用雪止金具の第６実施形態を示す説明図（１）。
【図１４】谷用雪止金具の第６実施形態を示す説明図（２）。
【図１５】谷用雪止金具の第７実施形態を示す説明図。
【図１６】谷用雪止金具を説明するための説明図。
【発明を実施するための形態】
【００１１】
本願発明の実施形態を図面に基づいて説明する。
図１〜図４は、谷用雪止金具の第１実施形態を示す説明図である。
図１は、谷用雪止金具の構造を説明した説明図である。
図１に図示するように、谷用雪止金具１０は、雪止金具本体１１と取付具１５を備えてＬ字アングル８０を挟み、これらをボルト８５及びナット８６で緊締する。
そして、雪止金具本体１１及び取付具１５は、ボルト８５を通すためのボルト孔１２，ボルト孔１６をＬ字アングル８０と水平方向に平行且つＬ字アングル８０の上端側に形成している。
【００１２】
また、雪止金具本体１１は、Ｌ字アングル８０の一方の端部８１を支持する支持部１３を備え、取付具１５は、Ｌ字アングル８０の他方の端部８２を支持する支持部１７を備えることで、谷用雪止金具１０はＬ字アングル８０を２点で支持している。
なお、符号１４は、ボルト８５及びナット８６の締結による取付具１５の共回りを防止するために、雪止金具本体１１に設けられた共回り防止手段（回り止め機構）である。
【００１３】
図２は、谷用雪止金具１０の取り付け方を説明した説明図である。
図２（Ａ）は、Ｌ字アングル８０に谷用雪止金具１０を仮置きした状態である。
図２（Ｂ）で、ボルト８５・ナット８６を締結するためにナット８６締めを行う。これは電動工具８７を使用して行うが、ボルト孔１２，ボルト孔１６がＬ字アングル８０と水平方向に平行且つＬ字アングル８０の上端側に形成しているため、作業者が谷用雪止金具１０を仮置きしたままの姿勢で続けてナット８６締めの作業が行える。従って、作業者の負担が極めて少ない。
【００１４】
図２（Ｃ）は、Ｌ字アングル８０に谷用雪止金具１０を取り付けた状態である。谷用雪止金具１０は、支持部１３と支持部１７の２点でＬ字アングル８０を支持しているので、Ｌ字アングル８０に対して確実に固定される。すなわち、図２（Ｄ）に図示するように、積雪荷重だけではなく、これとは逆からの逆荷重（突風など）に対しても耐性が高い（脱落等の危険性が低い）。
【００１５】
図３及び図４は、共回り防止手段（回り止め機構）について説明した説明図である。
図３（Ａ）は、共回り防止手段１４ａ，１４ａを雪止金具本体１１に溶接して設けたものである。
図３（Ｂ）は、共回り防止手段１４ｂ，１４ｂを雪止金具本体１１に切り起こして設けたものである。
図４（Ａ）は、共回り防止手段１４ｃ，１４ｃを取付具１５の支持部１７の向かい側に鋭角な折曲部を形成して設けたものである。
図４（Ｂ）は、共回り防止手段１４ｄ，１４ｄを取付具１５の支持部１７の向かい側に略垂直な折曲部を形成して設けたものである。なお、この場合、共回り防止手段１４ｄ，１４ｄは、ボルト８５の長さ分ほど長く垂下する必要がある。
図４（Ｃ）は、共回り防止手段１４ｅ，１４ｅを雪止金具本体１１の上部の一部分（ボルト孔１２を備えて取付具１５を載置する部分を除いて）を折曲せずに起立させたままにして設けたものである。
【００１６】
図５及び図６は、谷用雪止金具の第２実施形態を示す説明図である。
図５は、谷用雪止金具の構造を説明した説明図である。
図５に図示するように、谷用雪止金具２０は、雪止金具本体２１と取付具２５を備えてＬ字アングル８０の一部分を挟み、これらをボルト８５及びナット８６で緊締する。
そして、雪止金具本体２１及び取付具２５は、ボルト８５を通すためのボルト孔２２，ボルト孔２６をＬ字アングル８０と水平方向に平行且つＬ字アングル８０の上端側に形成している。なお、ボルト孔２２は、Ｌ字アングル８０のサイズに対応するため、複数形成されている。
【００１７】
図６は、谷用雪止金具２０の取り付け方を説明した説明図である。
図６（Ａ）は、Ｌ字アングル８０のサイズが大きいときの取り付け方である。この場合は、ボルト孔２２ａにボルト８５を挿通させることで奥行きが広くなり、大きいサイズのＬ字アングル８０に取り付けることが可能になる。なお、図５（Ｂ）の符号２３と符号２７が共回り防止手段になる。
図６（Ｂ）は、Ｌ字アングル８０のサイズが小さいときの取り付け方である。この場合は、ボルト孔２２ｂにボルト８５を挿通させることで奥行きが狭くなり、小さいサイズのＬ字アングル８０に取り付けることが可能になる。なお、図５（Ｂ）の符号２２ａと符号２７が共回り防止手段になる（符号２２ａが矩形になっているのは、符号２７と確実に係止するためである）。
【００１８】
図６（第２実施形態）に図示するように、ボルト８５・ナット８６を締結するためにナット８６締めを行う。これは電動工具８７を使用して行うが、ボルト孔２２ａ，２２ｂ，ボルト孔２６がＬ字アングル８０と水平方向に平行且つＬ字アングル８０の上端側に形成しているため、作業者が谷用雪止金具２０を仮置きしたままの姿勢で続けてナット８６締めの作業が行える。従って、作業者の負担が極めて少ない。
【００１９】
図７及び図８は、谷用雪止金具の第３実施形態を示す説明図である。
図７は、谷用雪止金具の構造を説明した説明図である。
図７に図示するように、谷用雪止金具３０は、雪止金具本体３１と取付具３５を備えてＬ字アングル８０の一部分を挟み、これらをボルト８５及びナット８６で緊締する。
そして、雪止金具本体３１及び取付具３５は、ボルト８５を通すためのボルト孔３２，ボルト孔３６をＬ字アングル８０と水平方向に平行且つＬ字アングル８０の上端側に形成している。なお、ボルト孔３２は、第２実施形態の雪止金具本体２１と異なり１つであるが、Ｌ字アングル８０のサイズに対応するため、取付具２５よりも長尺になっている。
【００２０】
図８は、谷用雪止金具３０の取り付け方を説明した説明図である。
図８（Ａ）は、Ｌ字アングル８０のサイズが大きいときの取り付け方である。谷用雪止金具３０は元々奥行きが広いので、大きいサイズのＬ字アングル８０を取り付けることが可能である。なお、図７（Ｂ）の符号３３と符号３７が共回り防止手段になる。
図８（Ｂ）は、Ｌ字アングル８０のサイズが小さいときの取り付け方である。谷用雪止金具３０は元々奥行きが広いが、取付具３５が長尺なので、小さいサイズのＬ字アングル８０を取り付けることも可能である（第２実施形態の取付具２５と異なり、雪止金具本体３１のボルト孔は１つであるが、大小サイズのＬ字アングル８０に対応できる）。なお、図７（Ｂ）の符号３３と符号３７が共回り防止手段になる。
【００２１】
図９及び図１０は、谷用雪止金具の第４実施形態を示す説明図である。
図９は、谷用雪止金具の構造を説明した説明図である。
図９に図示するように、谷用雪止金具４０は、雪止金具本体４１と取付具４５を備えてＬ字アングル８０を挟み、これらをボルト８５及びナット８６で緊締する。
そして、雪止金具本体４１及び取付具４５は、ボルト８５を通すためのボルト孔４２，ボルト孔４６をＬ字アングル８０と水平方向に平行且つＬ字アングル８０の上端側に形成している。
【００２２】
また、雪止金具本体４１は、Ｌ字アングル８０の一方の端部８２を支持する支持部４３を備え、取付具４５は、Ｌ字アングル８０の他方の端部８１を支持する支持部４７を備えることで、谷用雪止金具４０はＬ字アングル８０を２点で支持している。
なお、符号４４は、取付具４５の支持部４７をＬ字アングル８０側へ出すための穿孔である。
【００２３】
図１０は、谷用雪止金具４０の取り付け方を説明した説明図である。
図１０（Ａ）は、Ｌ字アングル８０に谷用雪止金具１０を仮置きした状態である。
図１０（Ｂ）で、ボルト８５・ナット８６を締結するためにナット８６締めを行う。これは電動工具８７を使用して行うが、ボルト孔４２，ボルト孔４６がＬ字アングル８０と水平方向に平行且つＬ字アングル８０の上端側に形成しているため、作業者が谷用雪止金具４０を仮置きしたままの姿勢で続けてナット８６締めの作業が行える。従って、作業者の負担が極めて少ない。
図１０（Ｃ）は、Ｌ字アングル８０に谷用雪止金具４０を取り付けた状態である。谷用雪止金具４０は、第１実施形態の谷用雪止金具１０と同じように、支持部４３と支持部４７の２点でＬ字アングル８０を支持しているので、Ｌ字アングル８０に対して確実に固定される。
【００２４】
図１１及び図１２は、谷用雪止金具の第５実施形態を示す説明図である。第５実施形態は、これまでの第１実施形態〜第４実施形態と異なり、Ｌ字アングル８０が上下逆向きに設けられている。
図１１は、谷用雪止金具の構造を説明した説明図である。
図１１に図示するように、谷用雪止金具５０は、雪止金具本体５１と取付具５５を備えてＬ字アングル８０を挟み、これらをボルト８５及びナット８６で緊締する。
そして、雪止金具本体５１及び取付具５５は、ボルト８５を通すためのボルト孔５２，ボルト孔５６をＬ字アングル８０と水平方向に平行且つＬ字アングル８０の上端側に形成している。
【００２５】
また、取付具５５は、Ｌ字アングル８０の他方の端部８２を支持する支持部５７を備えるとともに、雪止金具本体５１と緊締されることでＬ字アングル８０の一方の端部８１を支持するので、谷用雪止金具５０はＬ字アングル８０を２点で支持している。
【００２６】
図１２は、谷用雪止金具５０の取り付け方を説明した説明図である。
図１２（Ａ）は、Ｌ字アングル８０に谷用雪止金具５０を仮置きした状態である。
図１２（Ｂ）で、ボルト８５・ナット８６を締結するためにナット８６締めを行う。これは電動工具８７を使用して行うが、ボルト孔５２，ボルト孔５６がＬ字アングル８０と水平方向に平行且つＬ字アングル８０の上端側に形成しているため、作業者が谷用雪止金具５０を仮置きしたままの姿勢で続けてナット８６締めの作業が行える。従って、作業者の負担が極めて少ない。
図１２（Ｃ）は、Ｌ字アングル８０に谷用雪止金具５０を取り付けた状態である。谷用雪止金具５０は、第１実施形態の谷用雪止金具１０と同じように２点でＬ字アングル８０を支持しているので、Ｌ字アングル８０に対して確実に固定される。
【００２７】
図１３及び図１４は、谷用雪止金具の第６実施形態を示す説明図である。第６実施形態も、これまでの第１実施形態〜第４実施形態と異なり、Ｌ字アングル８０が上下逆向きに設けられている。
図１３は、谷用雪止金具の構造を説明した説明図である。
図１３に図示するように、谷用雪止金具６０は、雪止金具本体６１と取付具６５を備えてＬ字アングル８０の一部分を挟み、これらをボルト８５及びナット８６で緊締する。
そして、雪止金具本体６１及び取付具６５は、ボルト８５を通すためのボルト孔６２，ボルト孔６６をＬ字アングル８０と水平方向に平行且つＬ字アングル８０の上端側に形成している。
【００２８】
図１４は、谷用雪止金具６０の取り付け方を説明した説明図である。
図１４（Ａ）は、Ｌ字アングル８０に谷用雪止金具６０を仮置きした状態である。
図１４（Ｂ）で、ボルト８５・ナット８６を締結するためにナット８６締めを行う。これは電動工具８７を使用して行うが、ボルト孔６２，ボルト孔６６がＬ字アングル８０と水平方向に平行且つＬ字アングル８０の上端側に形成しているため、作業者が谷用雪止金具６０を仮置きしたままの姿勢で続けてナット８６締めの作業が行える。従って、作業者の負担が極めて少ない。
図１４（Ｃ）は、Ｌ字アングル８０に谷用雪止金具６０を取り付けた状態である。谷用雪止金具６０は、第２実施形態の谷用雪止金具２０や第３実施形態の谷用雪止金具３０と同じように、雪止金具本体６１と取付具６５でＬ字アングル８０の一部分を挟み、これらを緊締することで、Ｌ字アングル８０に対して確実に固定される。
【００２９】
図１５は、谷用雪止金具の第７実施形態を示す説明図である。
図１５に図示するように、雪止金具本体７１の下部７２は、強度向上のための両端部の縁折りをしていないことを特徴としている。雪止金具本体７１の強度は、Ｌ字アングルと接する支持部や当接部に一番必要であるため、それ以外の部分についてはほとんど必要にならない。従って、雪止金具本体７１の下部７２を縁折りしない形状にすることは、材料寸法を拡大することなく、強度を確保したまま、雪止めの幅が広くなり、雪止めの効率を向上させることができる。
【００３０】
また、図１５に図示するように、雪止金具本体７１は、雪と当接する面に穿孔７４を備えることを特徴としている。穿孔７４を備えることで、積雪時にこの穿孔７４から日光や風が雪に当たるようになり、雪解けを促進させることができる。
なお、雪止金具本体７１の特徴は、第１実施形態〜第６実施形態及びその他の本願発明に係る谷用雪止金具に適用されるものである。
【産業上の利用可能性】
【００３１】
本願発明は、屋根に積もった雪を地上に落下させないために屋根に使用される谷用雪止金具に広く利用できるものである。
【符号の説明】
【００３２】
１  谷用雪止金具
１０  谷用雪止金具（第１実施形態）
１１  雪止金具本体
１２  ボルト孔
１３  支持部
１４  共回り防止手段
１５  取付具
１６  ボルト孔
１７  支持部
８０  Ｌ字アングル
８１  端部
８２  端部
８５  ボルト
８６  ナット
８７  電動工具
９０  折板屋根
９１  谷部
９５  積雪
【図１】
2017198046.tif 000003
【図２】
2017198046.tif 000004
【図３】
2017198046.tif 000005
【図４】
2017198046.tif 000006
【図５】
2017198046.tif 000007
【図６】
2017198046.tif 000008
【図７】
2017198046.tif 000009
【図８】
2017198046.tif 000010
【図９】
2017198046.tif 000011
【図１０】
2017198046.tif 000012
【図１１】
2017198046.tif 000013
【図１２】
2017198046.tif 000014
【図１３】
2017198046.tif 000015
【図１４】
2017198046.tif 000016
【図１５】
2017198046.tif 000017
【図１６】
2017198046.tif 000018